(57)【要約】【課題】  従来の郵便・宅配便等においては、受取人が本人でなくても三文判で受け取れるという問題や、物品等を相手が受け取ったかどうかがすぐには分からないという問題があった。また、そういった問題を解決するために公開鍵暗号を用いて受取証明を行うシステムが提案されていたが、上記システムにおいては、受取証明の手続きが煩雑であるという問題があった。【解決手段】  本発明においては、受取人の使用する端末において、本人確認情報を光学的に読取可能なコードで表示し、表示されたコードを配送人の使用する端末で読取ることにより、本人確認を簡単な手続きで行うことができる。また、本人確認情報に時刻情報を含めることによりコードを生成時刻に依存して変化させ、これにより第三者がコードを写し取ることによるなりすまし行為を防止することができ、信頼性の高い本人確認を行うことができる。【選択図】図１
2006092507.tif 000002
【特許請求の範囲】
【請求項１】
ユーザ識別情報を記憶する第１の記憶手段と、
時刻を計時する計時手段と、
上記第1の記憶手段に記憶されている識別情報及び上記計時手段により計時された時刻とに基づいて、時刻により異なる印章コードを生成する印章コード生成手段と、
上記印章コードを読取可能に表示するコード表示手段と、
を有することを特徴とする携帯端末。
【請求項２】
上記印章コード生成手段は、２次元バーコードにより印章コードを生成し、
上記コード表示手段は、上記コード表示手段により表示された２次元バーコードをデコードするデコード装置に対して読み取り可能に表示する、
請求項１記載の携帯端末。
【請求項３】
上記印章コードを表示したログデータを記憶するログデータ記憶手段を更に有する、
請求項１又は２記載の携帯端末。
【請求項４】
上記ログデータ記憶手段に記憶されたログデータを、当該ログデータを蓄積する装置に対して送信する送信手段を更に有する、
請求項１〜３のいずれかの項に記載の携帯端末。
【請求項５】
上記印章コード生成手段にて生成された印章コードを、印章コードの取得を要求する装置に対して無線により送信する印章コード出力手段を更に有する、
請求項１記載の携帯端末。
【請求項６】
ユーザが保持する携帯端末と、ユーザの認証を行う認証装置とから構成されたシステムであって、
上記携帯端末は、
ユーザ識別情報を記憶する第１の記憶手段と、
時刻を計時する計時手段と、
上記第１の記憶手段に記憶されているユーザ識別情報と上記計時手段により計時された時刻とに基づいて、時刻により異なる印章コードを生成する印章コード生成手段と、
上記生成された印章コードを表示するコード表示手段と、を有し、
上記認証装置は、
上記コード表示手段に表示された印章コード、及び物品に添付された、少なくとも物品の受取人情報を含む物品コードを取得する取得手段と、
上記取得した印章コード及び物品コードをデコードし、印章コードからユーザ識別情報を抽出すると共に、物品コードから受取人情報を抽出する抽出手段と、
上記印章コードから抽出されたユーザ識別情報と、物品コードから抽出された受取人情報とが適合するか否か判別し認証する認証手段と、
を有することを特徴とする認証システム。
【請求項７】
上記物品コードには、物品の配送依頼人が保持する依頼人端末に対する通知アドレス情報が更に含まれており、
上記認証端末は、上記通知アドレス情報に基づいて、上記依頼人端末に対して受け取り通知を行う通知手段、
を更に有する請求項６記載の認証システム。
【請求項８】
上記物品コードには、物品の配送依頼人が保持する依頼人端末への通知アドレス情報が更に含まれており、
上記認証の結果、上記印章コードから抽出されたユーザ識別情報が、上記物品コードに含まれている受取人情報に適合しない場合に、上記物品配送コードに含まれている当該依頼人端末へ受け取り許可の確認通知を行う確認手段、を更に有する、
請求項６又は７記載の認証システム。
【請求項９】
ユーザが保持する携帯端末と、ユーザの認証を行う認証装置から構成されたシステムであって、
上記携帯端末は、
ユーザ識別情報を記憶する第１の記憶手段と、
時刻を計時する計時手段と、
上記第１の記憶手段に記憶されているユーザ識別情報と上記計時手段により計時された時刻とに基づいて、時刻により異なる印章コードを生成する印章コード生成手段と、
上記生成された印章コードを表示するコード表示手段と、を有し、
上記認証装置は、
上記ユーザを認証するためのユーザ情報を記憶するユーザ情報記憶手段と、
上記コード表示手段に表示された印章コードを取得する取得手段と、
上記印章コードからユーザ識別情報を抽出する抽出手段と、
上記抽出されたユーザ識別情報が、上記ユーザ情報記憶手段に記憶されているユーザ情報に適合するか否か判別する認証手段と、
を有することを特徴とする認証システム。
【請求項１０】
上記ユーザ情報記憶手段には、物品の発送依頼人が保持する依頼人端末に対する通知アドレス情報が更に含まれており、
上記認証端末は、上記通知アドレス情報に基づいて、上記依頼人端末に対して受け取り通知を行う通知手段、
を更に有する請求項９記載の認証システム。
【請求項１１】
上記ユーザ情報記憶手段には、物品の発送依頼人が保持する依頼人端末への通知アドレス情報を更に記憶し、
上記認証の結果、上記印章コードから抽出されたユーザ識別情報が、上記ユーザ情報記憶手段に記憶されているユーザ情報に適合しない場合に、上記ユーザ情報記憶手段を参照して、当該依頼人端末へ受け取り許可の確認通知を行う確認手段、を更に有する、
請求項９又は１０記載の認証システム。
【請求項１２】
上記携帯端末と通信を介して接続可能に構成された読取装置を更に有し、
上記携帯端末は、上記認証装置の取得手段からの印章コードの取得要求に応じて上記印章コード生成手段で生成した印章コードを無線で送信する印章コード出力手段を更に有し、
上記読取装置は、
上記携帯端末の印章コード出力手段より無線で送信された印章コードを受信することにより印章コードの取得する取得手段と、
上記携帯端末より取得した印章コードを上記認証装置へ送信する送信手段と、
を有する読取装置を有する
請求項６〜１１のいずれかに記載の認証システム。
【請求項１３】
上記物品コードは、少なくとも当該物品の購入金額を含む決済情報を更に含み、
上記携帯端末には、購入金額の決済処理を行うための決済手段情報が記憶されており、
上記認証装置は、上記決済手段情報を上記物品コードと共に取得し、認証の結果が適正な場合に、上記取得した決済手段情報に従って、上記決済情報に基づいた決済処理を行う決済処理手段を更に有する、
請求項６〜１２のいずれかに記載の認証システム。
【請求項１４】
ユーザ識別情報を記憶する第１の記憶手段を有する携帯端末により実行される方法であって、
上記携帯端末が、
計時手段により時刻を計時する処理と、
上記第1の記憶手段に記憶されている識別情報及び上記計時手段により計時された時刻とに基づいて、時刻により異なる印章コードを生成する処理と、
上記印章コードを所定の表示手段に読取可能に表示する処理と、
を有することを特徴とする認証方法。
【請求項１５】
ユーザが保持する携帯端末と、認証装置とにより行われる認証方法であって、
ユーザ識別情報を記憶する第１の記憶手段を有する上記携帯端末が、
計時手段により時刻を計時する処理と、
上記第１の記憶手段に記憶されているユーザ識別情報と上記計時手段により計時された時刻とに基づいて、時刻により異なる印章コードを生成する処理と、
上記生成された印章コードを所定の表示手段に表示する処理と、を行い、
上記認証装置が、
上記コード表示手段に表示された印章コード、及び物品に添付され、少なくともユーザ識別情報を含む物品コードを取得する処理と、
上記デコードされた印章コード及び物品コードからユーザ識別情報を抽出する処理と、
上記印章コード及び物品コードから抽出された識別情報同士が適合するか否か判別する処理と、を行う、
ことを特徴とする認証方法。
【請求項１６】
ユーザが保持する携帯端末と、認証装置とにより行われる認証方法であって、
ユーザ識別情報を記憶する第１の記憶手段を有する上記携帯端末が、
計時手段により時刻を計時する処理と、
上記第１の記憶手段に記憶されているユーザ識別情報と上記計時手段により計時された時刻とに基づいて、時刻により異なる印章コードを生成する処理と、
上記生成された印章コードを所定の表示手段に表示する処理と、を行い、
上記ユーザ識別情報を記憶するユーザ情報記憶手段を有する認証装置が、
上記コード表示手段に表示された印章コードを取得する処理と、
上記印章コードからユーザ識別情報を抽出する処理と、
抽出された識別情報が、上記ユーザ情報記憶手段に記憶されているユーザ識別情報に適合するか否か判別する処理と、を行う、
ことを特徴とする認証方法。
【請求項１７】
ユーザ識別情報を記憶する第１の記憶手段を有する携帯端末により実行される方法であって、
上記携帯端末が、
計時手段により時刻を計時する処理と、
上記第1の記憶手段に記憶されている識別情報及び上記計時手段により計時された時刻とに基づいて、時刻により異なる印章コードを生成する処理と、
上記生成された印章コードを印章コード出力手段により無線で送信する処理と、
を有することを特徴とする認証方法。
【請求項１８】
ユーザが保持する携帯端末と、ユーザの認証を行う認証装置とにより行われる認証方法であって、
ユーザ識別情報を記憶する第１の記憶手段を有する上記携帯端末が、
計時手段により時刻を計時する処理と、
上記第１の記憶手段に記憶されているユーザ識別情報と上記計時手段により計時された時刻とに基づいて、時刻により異なる印章コードを生成する処理と、
上記生成された印章コードを印章コード出力手段により無線で送信する処理と、を行い、
上記認証装置が、
上記印章コード出力手段より送信された印章コード、及び物品に添付され、少なくとも受取人情報を含む物品コードを取得する処理と、
上記取得した印章コードからユーザ識別情報を抽出する処理と、
上記取得した物品コードから受取人情報を抽出する処理と、
上記印章コードから抽出されたユーザ識別情報と、物品コードから抽出された受取人情報とが適合するか否か判別し認証する処理と、を行う、
ことを特徴とする認証方法。
【請求項１９】
ユーザが保持する携帯端末と、ユーザの認証を行う認証装置とにより行われる認証方法であって、
ユーザ識別情報を記憶する第１の記憶手段を有する上記携帯端末が、
計時手段により時刻を計時する処理と、
上記第１の記憶手段に記憶されているユーザ識別情報と上記計時手段により計時された時刻とに基づいて、時刻により異なる印章コードを生成する処理と、
上記生成された印章コードを印章コード出力手段により無線で送信する処理と、を行い、
上記ユーザ識別情報を記憶するユーザ情報記憶手段を有する認証装置が、
上記印章コード出力手段より送信された印章コードを取得する処理と、
上記取得した印章コードからユーザ識別情報を抽出する処理と、
上記抽出されたユーザ識別情報が、上記ユーザ情報記憶手段に記憶されているユーザ識別情報に適合するか否か判別し認証する処理と、を行う、
ことを特徴とする認証方法。
【請求項２０】
ユーザ識別情報を記憶する第１の記憶手段を有する携帯用のコンピュータにより実行されるコンピュータプログラムであって、
上記コンピュータに対して、
計時手段により時刻を計時する処理と、
上記第1の記憶手段に記憶されている識別情報及び上記計時手段により計時された時刻とに基づいて、時刻により異なる印章コードを生成する処理と、
上記印章コードを所定の表示手段に読取可能に表示する処理と、
を実行させるコンピュータプログラム。
【請求項２１】
ユーザ識別情報を記憶する第１の記憶手段を有する携帯用のコンピュータにより実行されるコンピュータプログラムであって、
上記コンピュータに対して、
計時手段により時刻を計時する処理と、
上記第1の記憶手段に記憶されている識別情報及び上記計時手段により計時された時刻とに基づいて、時刻により異なる印章コードを生成する処理と、
上記生成された印章コードを印章コード出力手段により無線で送信する処理と、
を実行させるコンピュータプログラム。
【発明の詳細な説明】
【技術分野】
【０００１】
本発明は、バーコードを用いた認証技術であって、例えば、物品の配送、受け取り確認などに好適な認証技術に関する。
【背景技術】
【０００２】
現状の宅配便などの配送サービスにおいては、受取人は配送された物品を受け取ったら、その物品に付された配送用伝票に認印を押す又は手書きでサインすることにより、受取を証明することが一般に行われている。
また、電子的に受け取りを確認するためのシステムとして、予め公開鍵暗号方式における秘密鍵を受取人が、その秘密鍵に対応する公開鍵を業者システムが保持しておき、配送伝票に付された伝票情報を受取人が自分の秘密鍵により暗号化して業者システムに送信し、業者システムが受取人の公開鍵を用いて受信した暗号データの復号を試みることにより、信頼性の高い受取証明を行うようにしたものが提案されている（特許文献１参照）。
【０００３】
【特許文献１】特開２００３−１２８２５４号公報
【発明の開示】
【発明が解決しようとする課題】
【０００４】
しかし、認印や手書きのサインによる受取証明の場合、受取人本人ではない不正な受取人であっても簡単に受け取ることができるため、依頼人、受取人双方にとって不安があった。また物品が受け取られた場合に、そのことがすぐには依頼人には分からないため、そのことも依頼人の不安の原因となっていた。
また、上述した公開鍵暗号による受取証明手段においては、配送人が読取装置を用いて配送伝票上に記された伝票情報を読み取り、読み取った伝票情報を受取人端末に送信し、受取人は受信した伝票情報を暗号化したものを読取装置に送信し、配送人は受信した暗号化済みの伝票情報を業者システムに送信するという一連の処理が必要であるため、受取証明に関わる処理が、認印やサインの場合に比べて、配送人、受取人の双方にとって煩雑になってしまうという問題があった。
【０００５】
本発明は、上述のような課題を解決するためになされたものであって、信頼性の高い受取証明を、受取人、配送人の双方にとって作業負担の軽い方法で、コストの高い機器を用いることなく実現することを目的とする。
【課題を解決するための手段】
【０００６】
上記の目的を達成するため、本発明の一の観点に係る携帯端末は、ユーザ識別情報を記憶する第１の記憶手段と、時刻を計時する計時手段と、上記第1の記憶手段に記憶されている識別情報及び上記計時手段により計時された時刻とに基づいて、時刻により異なる印章コードを生成する印章コード生成手段と、上記印章コードを読取可能に表示するコード表示手段と、を有することを特徴とする。
【０００７】
ここで、ユーザ識別情報とは、上記携帯端末の使用者を一意に識別することができ、公開されることのない秘密の情報（例えば、シリアルナンバー、暗証番号、固有の暗号鍵）である。
また、印章コードとは、上記携帯端末使用者の本人性を確認できる情報を含む情報を、バーコード等、光学的に読取可能なコードで表現したものを言う。
また、上記携帯端末は、二次元コードで印章コードを生成してもよい。
【０００８】
また、本発明の別の観点に係る携帯端末は、上記印章コード生成手段にて生成された印章コードを、印章コードの取得を要求する装置に対して無線により送信する印章コード出力手段を更に有することを特徴とする。
【０００９】
また、本発明の一の観点に係る認証システムは、ユーザが保持する携帯端末と、ユーザの認証を行う認証装置とから構成されたシステムであって、上記携帯端末は、ユーザ識別情報を記憶する第１の記憶手段と、時刻を計時する計時手段と、上記第１の記憶手段に記憶されているユーザ識別情報と上記計時手段により計時された時刻とに基づいて、時刻により異なる印章コードを生成する印章コード生成手段と、上記生成された印章コードを表示するコード表示手段と、を有し、上記認証装置は、上記コード表示手段に表示された印章コード、及び物品に添付された、少なくとも物品の受取人情報を含む物品コードを取得する取得手段と、上記取得した印章コード及び物品コードをデコードし、印章コードからユーザ識別情報を抽出すると共に、物品コードから受取人情報を抽出する抽出手段と、
上記印章コードから抽出されたユーザ識別情報と、物品コードから抽出された受取人情報とが適合するか否か判別し認証する認証手段と、を有することを特徴とする。
【００１０】
ここで、物品コードとは、物品等に付され、少なくとも特定のユーザ識別情報を含み、上記認証装置によって光学的に読取可能に表示されたバーコード、二次元コード等のコードである。
【００１１】
また、上記認証システムは、物品発送依頼人の使用する依頼人端末を更に備え、上記物品コードは、上記依頼人端末に対する通知アドレス情報が更に含まれるようにし、上記認証端末は、上記通知アドレス情報に基づいて、上記依頼人端末に対して受取通知を行う通知手段を更に有するようにしても良い。
また、上記物品コードには、上記依頼人端末に対する通知アドレス情報が更に含まれるようにし、上記認証の結果、上記印章コードから抽出されたユーザ識別情報が、上記物品コードに含まれている受取人情報に適合しない場合に、上記物品配送コードに含まれている当該依頼人端末へ受け取り許可の確認通知を行う確認手段、を更に有するようにしても良い。
【００１２】
ここで、依頼人端末とは、上記認証端末と電話回線・インターネット等を通じ通信可能な端末であり、上記認証端末からの受取通知を受信する受信手段と、受信した受取通知を表示する表示手段を有することを特徴とする。
【００１３】
ここで、上記依頼人端末は、上記認証端末と通信可能で、その通信内容を表示可能な端末であれば、携帯電話機、ノート型パーソナルコンピュータ、ＰＤＡ等の携帯端末でも良いし、デスクトップ型パーソナルコンピュータ等の設置型の端末でも良い。
【００１４】
ここで、上記通知アドレス情報は、上記認証端末から上記依頼人端末に対し受取通知を行う際に用いることのできる宛先を示す情報であり、例えば、Ｅ−ｍａｉｌアドレス等である。
ここで、受取通知とは、物品発送の依頼人に対して、依頼された物品が受取人に受け取られたことを通知する情報であり、受け取ったユーザの識別情報を含むようにしても良いし、受け取りの際に使われた印章コードに含まれていた時刻情報を含めるようにしても良い。
【００１５】
また、上記認証の結果、上記印章コードから抽出された識別情報が、上記物品配送コードに含まれているユーザ識別情報に適合しない場合に、上記物品配送コードに含まれている当該物品発送依頼人の端末へ受け取り許可の確認通知を行う確認手段、を更に有するようにしても良い。
【００１６】
また、本発明の別の観点に係る認証システムは、ユーザが保持する携帯端末と、ユーザの認証を行う認証装置から構成されたシステムであって、上記携帯端末は、ユーザ識別情報を記憶する第１の記憶手段と、時刻を計時する計時手段と、上記第１の記憶手段に記憶されているユーザ識別情報と上記計時手段により計時された時刻とに基づいて、時刻により異なる印章コードを生成する印章コード生成手段と、上記生成された印章コードを表示するコード表示手段と、を有し、上記認証装置は、上記ユーザを認証するためのユーザ情報を記憶するユーザ情報記憶手段と、上記コード表示手段に表示された印章コードを取得する取得手段と、上記印章コードからユーザ識別情報を抽出する抽出手段と、上記抽出されたユーザ識別情報が、上記ユーザ情報記憶手段に記憶されているユーザ情報に適合するか否か判別する認証手段と、を有することを特徴とする。
【００１７】
また、上記ユーザ情報記憶手段には、物品の発送依頼人が保持する依頼人端末に対する通知アドレス情報が更に含まれており、上記認証端末は、上記通知アドレス情報に基づいて、上記依頼人端末に対して受け取り通知を行う通知手段、を更に有するようにしても良い。
【００１８】
また、上記ユーザ情報記憶手段には、物品の発送依頼人が保持する依頼人端末への通知アドレス情報を更に記憶し、上記認証の結果、上記印章コードから抽出されたユーザ識別情報が、上記ユーザ情報記憶手段に記憶されているユーザ情報に適合しない場合に、上記ユーザ情報記憶手段を参照して、当該依頼人端末へ受け取り許可の確認通知を行う確認手段、を更に有するようにしても良い。
【００１９】
また、本発明の更に別の観点に係る認証システムは、上記各システムに加え、上記携帯端末と通信を介して接続可能に構成された読取装置を更に有し、上記携帯端末は、上記認証装置の取得手段からの印章コードの取得要求に応じて上記印章コード生成手段で生成した印章コードを無線で送信する印章コード出力手段を更に有し、上記読取装置は、上記携帯端末の印章コード出力手段より無線で送信された印章コードを受信することにより印章コードの取得する取得手段と、上記携帯端末より取得した印章コードを上記認証装置へ送信する送信手段と、を有することを特徴とする。
【００２０】
また、上記物品コードは、少なくとも当該物品の購入金額を含む決済情報を更に含み、
上記携帯端末には、購入金額の決済処理を行うための決済手段情報が記憶されており、
上記認証装置は、上記決済手段情報を上記物品コードと共に取得し、認証の結果が適正な場合に、上記取得した決済手段情報に従って、上記決済情報に基づいた決済処理を行う決済処理手段を更に有するようにしても良い。
【００２１】
また、本発明の一の観点に係る認証方法は、ユーザ識別情報を記憶する第１の記憶手段を有する携帯端末により実行される方法であって、上記携帯端末が、計時手段により時刻を計時する処理と、上記第1の記憶手段に記憶されている識別情報及び上記計時手段により計時された時刻とに基づいて、時刻により異なる印章コードを生成する処理と、上記印章コードを所定の表示手段に読取可能に表示する処理と、を有することを特徴とする。
【００２２】
また、本発明の別の観点に係る認証方法は、ユーザが保持する携帯端末と、認証装置とにより行われる認証方法であって、ユーザ識別情報を記憶する第１の記憶手段を有する上記携帯端末が、計時手段により時刻を計時する処理と、上記第１の記憶手段に記憶されているユーザ識別情報と上記計時手段により計時された時刻とに基づいて、時刻により異なる印章コードを生成する処理と、上記生成された印章コードを所定の表示手段に表示する処理と、を行い、上記認証装置が、上記コード表示手段に表示された印章コード、及び物品に添付され、少なくともユーザ識別情報を含む物品コードを取得する処理と、上記デコードされた印章コード及び物品コードからユーザ識別情報を抽出する処理と、上記印章コード及び物品コードから抽出された識別情報同士が適合するか否か判別する処理と、を行うことを特徴とする。
【００２３】
また、本発明の別の観点に係る認証方法は、ユーザが保持する携帯端末と、認証装置とにより行われる認証方法であって、ユーザ識別情報を記憶する第１の記憶手段を有する上記携帯端末が、計時手段により時刻を計時する処理と、上記第１の記憶手段に記憶されているユーザ識別情報と上記計時手段により計時された時刻とに基づいて、時刻により異なる印章コードを生成する処理と、上記生成された印章コードを所定の表示手段に表示する処理と、を行い、上記ユーザ識別情報を記憶するユーザ情報記憶手段を有する認証装置が、上記コード表示手段に表示された印章コードを取得する処理と、上記印章コードからユーザ識別情報を抽出する処理と、抽出された識別情報が、上記ユーザ情報記憶手段に記憶されているユーザ識別情報に適合するか否か判別する処理と、を行うことを特徴とする。
【００２４】
また、本発明の別の観点に係る認証方法は、ユーザ識別情報を記憶する第１の記憶手段を有する携帯端末により実行される方法であって、上記携帯端末が、計時手段により時刻を計時する処理と、上記第1の記憶手段に記憶されている識別情報及び上記計時手段により計時された時刻とに基づいて、時刻により異なる印章コードを生成する処理と、上記生成された印章コードを印章コード出力手段により無線で送信する処理と、を有することを特徴とする。
【００２５】
また、本発明の別の観点に係る認証方法は、ユーザが保持する携帯端末と、ユーザの認証を行う認証装置とにより行われる認証方法であって、ユーザ識別情報を記憶する第１の記憶手段を有する上記携帯端末が、計時手段により時刻を計時する処理と、上記第１の記憶手段に記憶されているユーザ識別情報と上記計時手段により計時された時刻とに基づいて、時刻により異なる印章コードを生成する処理と、上記生成された印章コードを印章コード出力手段により無線で送信する処理と、を行い、上記認証装置が、上記印章コード出力手段より送信された印章コード、及び物品に添付され、少なくともユーザ識別情報を含む物品コードを取得する処理と、上記取得した印章コードからユーザ識別情報を抽出する処理と、上記取得した物品コードから受取人情報を抽出する処理と、上記印章コードから抽出されたユーザ識別情報と、物品コードから抽出された受取人情報とが適合するか否か判別し認証する処理と、を行うことを特徴とする。
【００２６】
また、本発明の更に別の観点に係る認証方法は、ユーザが保持する携帯端末と、ユーザの認証を行う認証装置とにより行われる認証方法であって、ユーザ識別情報を記憶する第１の記憶手段を有する上記携帯端末が、計時手段により時刻を計時する処理と、上記第１の記憶手段に記憶されているユーザ識別情報と上記計時手段により計時された時刻とに基づいて、時刻により異なる印章コードを生成する処理と、上記生成された印章コードを印章コード出力手段により無線で送信する処理と、を行い、上記ユーザ識別情報を記憶するユーザ情報記憶手段を有する認証装置が、上記印章コード出力手段より送信された印章コードを取得する処理と、上記取得した印章コードからユーザ識別情報を抽出する処理と、
上記抽出されたユーザ識別情報が、上記ユーザ情報記憶手段に記憶されているユーザ識別情報に適合するか否か判別し認証する処理と、を行うことを特徴とする。
【００２７】
また、本発明の一の観点に係るコンピュータプログラムは、ユーザ識別情報を記憶する第１の記憶手段を有する携帯用のコンピュータにより実行されるコンピュータプログラムであって、上記コンピュータに対して、計時手段により時刻を計時する処理と、上記第1の記憶手段に記憶されている識別情報及び上記計時手段により計時された時刻とに基づいて、時刻により異なる印章コードを生成する処理と、上記印章コードを所定の表示手段に読取可能に表示する処理と、を実行させることを特徴とする。
【００２８】
さらに、本発明の他の観点に係るコンピュータプログラムは、ユーザ識別情報を記憶する第１の記憶手段を有する携帯用のコンピュータにより実行されるコンピュータプログラムであって、上記コンピュータに対して、計時手段により時刻を計時する処理と、上記第1の記憶手段に記憶されている識別情報及び上記計時手段により計時された時刻とに基づいて、時刻により異なる印章コードを生成する処理と、上記生成された印章コードを印章コード出力手段により無線で送信する処理と、を実行させることを特徴とする。
【発明の効果】
【００２９】
本発明によれば、物品の受取人は、携帯端末に印章コードを表示する操作を行うだけで、また物品の受取人の認証を行う者は、受取人の携帯端末に表示された印章コードを認証装置によって読み取る操作を行うだけで、簡単に受取人の認証を行うことができる。また、印章コードには時刻データが含まれ、また印章コードは表示される時刻に依存して変化するため、一度表示された印章コードを第三者が写し取って不正使用しても、時刻データの不整合性からそれが不正使用であることが容易に判別できる。
また、物品の配送依頼人の使用する依頼人端末を含むシステム構成では、受取人の認証が成功した際に、依頼人端末に対して直ちに受取通知を行うことができるため、依頼人は物品が正当な受取人に確かに受け取られたことを、受取完了後すぐに知ることができる。
【発明を実施するための最良の形態】
【００３０】
本発明の第１の実施形態として、ユーザが保持する携帯端末と、ユーザの認証を行う認証装置とから構成された認証システムの一例について、図面を参照して説明する。
図１は、本実施形態に係る認証システムの一例を示す概略図である。また、図２は、本実施形態に係る認証システムに用いる携帯端末と認証装置の機能ブロック図である。
【００３１】
本実施形態における認証システムは、携帯端末としての携帯電話機１０と、認証装置２０とにより実現される。また、本システムは、配送される物品等が、少なくとも配送の依頼人によって指定された受取人を識別可能な識別情報が含まれた物品コードが付された上で配送されることを前提とする。
【００３２】
携帯電話機１０は、ＣＰＵ（Central Processing Unit）と、ＣＰＵが実行するコンピュータプログラムと、コンピュータプログラムや所定のデータを記憶することが出来るＲＡＭ（Random Access Memory）等の内部記憶装置などにより、図２に示す機能ブロックを構成することが出来る。
図２に示した機能ブロックは、上記第１の記憶手段としての識別情報記憶部１１と、上記計時手段としての計時部１２と、上記印章コード生成手段としてのコード生成部１３と、上記コード表示手段としてのコード表示部１４とから構成されている。
【００３３】
識別情報記憶部１１は、ユーザ識別情報を記憶する記憶手段である。ここで、ユーザ識別情報とは、携帯電話機１０の使用者を一意に識別可能で、公開されることのない秘密の識別情報であり、具体的には、例えば使用者に固有に割り当てられたＩＤ番号、携帯電話機に固有に割り当てられたシリアル番号等である。
【００３４】
計時部１２は、時刻を計時するクロック手段である。
この計時部１２は、標準電波送信所より送信される標準電波を受信して時刻情報（例えば、年、月、日、時、分、秒）を修正する所謂電波時計となっている。
【００３５】
コード生成部１３は、識別情報記憶部１１に記憶されているユーザ識別情報と計時部１２によって得られる時刻情報とに基づいて、印章コードを生成する。ここで印章コードとは、光学的に読取可能なコードによって表された、本人性の確認が可能な情報である。本実施の形態では、印章コードのコード形式には二次元バーコードであるＱＲコードを用いるものとする。生成されるＱＲコードは時刻情報を含むため、生成時刻によって異なるＱＲコードが生成されることになる。このとき、コード生成部１３は、所定の復号手段で復号可能に暗号化したＱＲコードを生成しても良い。
ここで、コード生成部１３が生成する印章コードは、ＱＲコードの他にベリコードなどを用いても良い。
尚、バーコードとしては、二次元バーコードに限らず一次元バーコードでもよく、一次元バーコードとしては、ＪＡＮコード、ＥＡＮ−１２８コード等を用いても良い。
【００３６】
コード表示部１４は、コード生成部１３で生成された印章コードを、所定の読取装置により読み取り可能な形態で表示する処理を行う。
このコード表示部１４としては、例えば、液晶表示パネルと、この液晶表示パネルの表示制御を行う駆動回路とから構成することが出来る。
なお、本実施の形態では、コード表示部として液晶を用いるが、ＥＬ（エレクトロルミネセンス）や、その他の発光素子を用いることもできる。
【００３７】
また、本実施形態では、携帯端末として携帯電話機を用いたが、ＱＲコード等の所定のコードを生成・表示可能な端末であれば、ノート型のパーソナルコンピュータ、ＰＤＡ（Ｐｅｒｓｏｎａｌ  Ｄｉｇｉｔａｌ  Ａｓｓｉｓｔａｎｃｅ）等でも良い。
【００３８】
また、本実施形態における携帯電話機１０は、そのメモリを、印章コードを表示したログデータを記憶するログデータ記憶手段としても良い。また更に、ログデータ記憶手段に記憶されたログデータを、携帯電話機１０の電話通信処理部を使って、ログデータを蓄積する認証装置２０に対して送信するようにしてもよい。
ここで、ログデータとは、表示された印章コードの所有者の識別情報と、印章コードの表示された時刻とを含むデータである。
このようなログデータを記憶しておくことにより、過去に第三者によって印章コードが不正使用されているか否かを確認することができる。
【００３９】
認証装置２０は、携帯電話機１０が表示した印章コードを読み取って認証処理を行う装置であって、ＣＰＵ、コンピュータプログラム、ＲＡＭ等の記憶手段により、図２に示す機能ブロックを構成することができる。
図２に示された機能ブロックは、印章コード及び物品コードの取得手段としてのコード取得部２１、取得した印章コードに含まれるユーザ識別情報、及び物品コードに含まれる受取人情報を抽出する抽出手段としての情報抽出部２２、抽出されたユーザ識別情報と受取人情報とを照合して認証処理を行う認証手段としての認証処理部２３、認証結果を装置使用者に通知する認証結果通知部２４から構成される。
【００４０】
コード取得部２１は、例えば、画像を撮像する撮像手段であるＣＣＤカメラ等によって構成され、携帯電話機１０によって表示された印章コード、及び物品等に付された物品コードを取得する。
ここで物品コードとは、配送される物品等に予め付されるＱＲコードで、少なくとも携帯電話機１０の保持するユーザの識別情報と同じ識別情報が含まれている。また、その他の情報として、物品ＩＤ、依頼人の氏名、住所、電話番号、メールアドレス等を含んでも良い。
【００４１】
情報抽出部２２は、コード取得部２１が取得したＱＲコードに含まれている識別情報及び時刻情報を抽出する。印章コードに暗号化されたコードが用いられている場合は、この抽出処理には復号処理が含まれる。
【００４２】
認証処理部２３は、情報抽出部２２によって抽出された、印章コード由来の識別情報と、物品コード由来の識別情報とが適合するかどうかを判別することにより、受取人の認証処理を行う。
【００４３】
認証結果通知部２４は、認証処理部２３の行った認証処理の結果を認証装置使用者に通知する。通知手段としては、所定の音声を用いても良いし、所定の視覚的な表示を用いても良い。
【００４４】
上記第１の実施形態における認証装置は、携帯電話機１０が表示したコードを読取可能な端末であれば、携帯電話機、ＰＤＡ（Ｐｅｒｓｏｎａｌ  Ｄｉｇｉｔａｌ  Ａｓｓｉｓｔａｎｃｅ）その他の携帯端末でも良いし、デスクトップ型コンピュータ等の設置型の端末でも良い。
【００４５】
また、上記第１の実施形態では、携帯電話機１０又は認証装置２０、あるいはその両方にログ記憶部をさらに設け、認証履歴情報を保存するようにしても良い。ここで認証履歴情報とは、例えば、受取人の識別情報、印章コードに含まれていた時刻情報等である。保存した時刻情報は、後に印章コードの不正利用の発見に役立てることができる。
【００４６】
また、上述の認証システムにおいて、物品に付された物品コードは、少なくとも物品の購入金額を含む決済情報を更に記憶し、携帯電話機１０には、購入金額の決済処理を行うための決済手段情報（例えば、電話料金に含めて決済する場合は電話番号等、クレジットカードを使って決済する場合には、クレジットカードのカード番号等）を記憶し、認証装置２０は、上記決済手段情報を上記物品コードと共に取得し、認証の結果が適正な場合に、認証装置２０は上記取得した決済手段情報に従って上記決済情報に基づいた決済処理を行う手段をさらに備えるようにしても良い。
【００４７】
次に、上述のシステムにより実行される方法の一例を説明する。
まず、システム全体の処理の流れについて図３を参照して説明する。
図３において、携帯電話機１０の使用者が、携帯電話機１０に対し、印章コードを表示させるための所定の操作を行う（１）。この操作は、予め決められたキー操作を行うことによりコード生成指示ができるようにする。
【００４８】
携帯電話機１０は、上記所定の操作を受け付けると、識別情報記憶部１１に記憶されているユーザ識別情報と、計時部１２から得られる時刻情報とを取得する（２）。
【００４９】
携帯電話機１０のコード生成部１３は、取得したユーザ識別情報と時刻情報とに基づいて印章コードを生成する（３）。
【００５０】
携帯電話機１０のコード表示部１４は、生成された印章コードを携帯電話機１０のディスプレイに表示する（４）。
【００５１】
認証装置２０のコード取得部２１は、携帯電話機１０に表示された印章コードを読み取る（５）。
【００５２】
認証装置２０のコード取得部２１は、物品に付された物品コードを読み取る（６）。
【００５３】
認証装置２０の情報抽出部２２は、読み取った印章コード及び物品コードに含まれているユーザ識別情報、時刻情報及び受取人情報を抽出する（７）。
【００５４】
認証装置２０の認証部２３は、抽出された印章コード由来のユーザ識別情報と、物品コード由来の受取人情報とが適合するかどうかを判別することにより認証処理を行う（８）。
【００５５】
次に、認証装置２０の認証結果通知部２４は、認証装置２０の使用者に対し、認証部２３による認証結果に基づいて所定の情報を通知する（９）。
【００５６】
次に、上述の実施形態における、携帯電話機１０の詳細な処理について図４を参照して説明する。
まず、携帯電話機１０の使用者が、携帯電話機１０に対して、印章コードを表示させるための所定の操作を行う（Ｓ１１）。この操作は、携帯電話機１０の予め決められたボタン操作を行うようにする。
【００５７】
このとき、携帯電話機１０が、計時部１２により時刻を計時する処理を行っている（Ｓ１２）。
【００５８】
携帯電話機１０が、コード生成部１３により、識別情報記憶部１１に記憶されている識別情報及び計時部１２により計時された時刻情報に基づいて、時刻により異なる印章コードを生成する処理を行う（Ｓ１３）。
このコード生成処理は、コード生成部１３が、時刻データと識別情報とを組み合わせたデータを作成し、この作成したデータに対してＱＲコード生成アルゴリズムにより、コード化し、コード化したデータを一時的にメモリに記憶する。
なお、時刻データと識別情報との組み合わせの仕方は任意であり、前数桁に識別情報、後数桁を時刻データの数字としてもよいし、またこれを所定の桁数ごとにバラバラに組み合わせてもよい。
【００５９】
コードが生成されると、コード表示部１４が、生成された印章コードを所定の読取装置によって読取可能に表示して（Ｓ１４）、処理を終了する。
【００６０】
次に、上述の認証システムにおける認証装置２０の詳細な処理方法の一例を、図５を用いて説明する。
図５に示すように、まず、認証装置２０側での動作は、ＣＣＤカメラ等のコード取得部２１が、物品等に付された物品コードを読み取る（Ｓ２１）。
【００６１】
次に、情報抽出部２２が、読み取られた物品コードをデコードし、物品コードに含まれている受取人の識別情報を抽出し、これを一時的にメモリに記憶する（Ｓ２２）。
このデコード処理は、ＱＲコードのデコードアルゴリズムに基づいて行うことができる。また、物品コードの抽出は、予め決められた桁数（アドレス）に物品コードを入れておくことで、該当する桁数のコードを読込むことができる。
【００６２】
コード取得部２１が携帯電話機１０に表示されている印章コードを読み取る（Ｓ２３）。
【００６３】
印章コードが読み取られると、情報抽出部２２が、読み取られた印章コードをデコードし、時刻情報及び受取人の識別情報を抽出して、一時的にメモリに記憶する（Ｓ２４）。
これらの抽出処理は、予め決められた桁数の識別情報及び時刻データをいれておき、当該桁数の数字を抽出することで可能となる。
【００６４】
次に、認証処理部２３が、メモリに記憶されている物品コード由来の受取人情報と、印章コード由来のユーザ識別情報とが一致するか否かを判別する（Ｓ２５）。
判別の結果、受取人情報とユーザ識別情報とが一致した場合（Ｙ）、認証結果を成功として、認証結果を認証結果通知部２４によりディスプレイ等に出力する（Ｓ２６）。
判別の結果、受取人情報とユーザ識別情報とが一致しなかった場合（Ｎ）、認証結果を失敗として、認証結果を認証結果通知部２４によりディスプレイ等に出力する（Ｓ２６）。
これにより、認証装置２０における、受取人認証処理が終了（エンド）する。
【００６５】
尚、上述のＳ２３〜Ｓ２４までの一連の処理は、Ｓ２１を行う前に行われても良い。
【００６６】
これらの構成により、携帯電話機１０は、受取人を認証可能で且つ時刻に応じて変化するため盗用されにくい印章コードを使用者の操作に応じて簡単に表示でき、認証装置２０は、表示された印章コード及び物品等に付された物品コードを光学的に読み取り、読み取ったコードに含まれる情報を抽出・照合することにより、簡単な操作によって信頼性の高い受取人認証を行うことが可能となる。
【００６７】
次に、本発明の第２の実施形態として、印章コードの読取装置と認証装置とを通信を介して接続して構成した認証システムの一例について、図面を参照して説明する。
図６は、本発明の実施の形態に係る認証システムの一例を示す概略図である。また、図７は、本実施の形態に係る認証システムに用いる携帯端末と読取装置と認証装置の機能ブロック図である。
尚、本実施形態は、配送される物品等に、受取人の識別情報と物品等の識別情報の含まれた物品コードが付されることを前提とする。尚、上述の実施形態と同一の構成は、同一の符号を付して説明を省略する。
【００６８】
本実施の形態における認証システムは、受取人端末としての携帯電話機１０と、読取装置３０と、認証装置４０と、依頼者端末としての携帯電話機５０とにより実現される。
そして、認証装置４０は、インターネット、電話回線等を介して、読取装置３０及び携帯電話機５０と通信可能に構成されている。
【００６９】
読取装置３０は、物品等を受取人に配送する配送人が所持し、操作するものであって、ＣＰＵ（Central Processing Unit）、コンピュータプログラム、ＲＡＭ・ＲＯＭ等の記憶手段により、図７に示す機能ブロックを構成することができる。
図７に示された機能ブロックは、コード取得部３１、情報抽出部３２、認証要求送信部３３、認証結果受信部３４、認証結果通知部３５から構成される。
【００７０】
コード取得部３１は、例えば、画像を撮像する撮像手段であるＣＣＤカメラ等によって構成され、携帯電話機１０によって表示された印章コード、及び物品等に付された物品コードを取得する。
ここで、物品コードは、配送される物品等に予め付されたＱＲコードであって、物品等の受取人を識別できる受取人情報と、該物品等を識別できる配送物識別情報と、依頼者端末である携帯電話機５０への受取通知の送信に用いることのできる受取通知アドレスとを含めてコード化したものである。
【００７１】
情報抽出部３２は、上記コード取得部が取得した印章コード及び物品コードをデコードし、印章コードに含まれているユーザ識別情報及び時刻情報、及び物品コードに含まれている受取人情報及び配送物識別情報を抽出する。
【００７２】
認証要求送信部３３は、情報抽出部３２が抽出した識別情報に基づいて、認証装置４０に対し受取人の認証要求を送信する。また、情報抽出部３２が抽出した時刻情報を認証要求に含めて送信し、認証装置４０が時刻情報の整合性から印章コードの不正利用を検出するために用いるようにしても良い。
【００７３】
認証結果受信部３４は、認証装置４０から送信された認証結果を受信する。
認証結果通知部３５は、認証結果受信部３４が受信した認証結果を、読取装置３０を使用する配送人に通知する。通知の方法としては、例えば、読取装置３０にディスプレイを設けて文字や画像によって通知しても良いし、読取装置３０にスピーカを設けて音声によって通知しても良い。
【００７４】
また、ここで、読取装置３０と認証装置４０の間での通信は、ＩＰアドレスに基づいて行っても良いし、Ｅ−Ｍａｉｌアドレスに基づいて行っても良いし、ＵＲＬに基づいて所定のＷｅｂサイトにアクセスして、そこでデータを入力するなどして行うこともできる。
【００７５】
また、認証装置４０は、読取装置３０と通信を介して情報の授受が可能に構成されたものであって、ユーザ情報記憶部４１と、認証要求受付部４２と、認証処理部４３と、認証結果送信部４４と、受取通知送信部４５を有している。
【００７６】
ユーザ情報記憶部４１は、携帯電話機１０のユーザ識別情報と携帯電話機１０を操作する受取人情報とを関連付けて記憶する記憶部である。このユーザ情報記憶部４１に記憶されるデータ構成としては、たとえば図８に示すようなユーザ情報データベース４１Ａが考えられる。このユーザ情報データベース４１Ａには、携帯電話１０情報としての識別ＩＤ、上記携帯電話機１０所有者（受取人）の氏名、住所、電話番号等が登録されている。したがって、携帯電話機情報が分かれば、その携帯電話機が所有登録されている氏名、住所、電話番号等が特定できる。
【００７７】
認証要求受付部４２は、読取装置３０から送られた認証要求を受け付ける処理を行う。受け付けた認証要求を後述する認証処理部４３で認証することで、携帯電話機１０の所有者が、物品コードに記された正当な受取人であるかどうか認証することができる。
【００７８】
認証処理部４３は、ユーザ情報記憶部４１を参照して、認証要求に含まれる携帯電話機１０の識別情報に対応する受取人情報を検索し、該当するユーザ情報が得られた場合には、得られた受取人情報によって特定される受取人が同じく認証要求受付部４２によって受け付けられた受取人情報の示す受取人と一致するかどうか調べることにより、受取人の認証を行う。
【００７９】
認証結果送信部４４は、認証処理部４３による認証結果を読取装置３０に対し送信する。認証結果の送信は、Ｅ−ｍａｉｌによって行っても良いし、所定のＷｅｂサイトを用いて行っても良い。
【００８０】
受取通知送信部４５は、認証処理部４３による認証結果、携帯電話機１０のユーザが物品コードに記載された受取人と一致すると判断された場合、認証要求に含まれる受取通知アドレス（例えば、メールアドレス等）を送信先として、認証要求に含まれる物品識別情報と時刻情報に基づいて、どの物品がいつ受け取られたかという情報を含む受取通知を送信する。
ここで、携帯電話機１０のユーザが物品コードに記載された受取人とは異なると判断された場合、読取装置３０又は認証装置４０が、携帯電話機５０に対して、携帯電話機１０のユーザが物品を受け取ることを許可するかどうか確認するメッセージを電子メール等で送信し、携帯電話機５０から受け取りと許可するメッセージが届いた場合には携帯電話機１０のユーザによる物品の受け取りを許可するようにしても良い。
【００８１】
携帯電話機５０は、ＣＰＵ（Central Processing Unit）と、ＣＰＵが実行するコンピュータプログラムと、コンピュータプログラムや所定のデータを記憶することが出来るＲＡＭ等の内部記憶装置などにより、図７に示す機能ブロックを構成することが出来る。
図７に示される機能ブロックは、受信部５１、表示部５２から構成される。
受信部５１は、認証装置４０からの受取通知を受信する処理を行う。
表示部５２は、受信部５１が受信した受取通知に基づいて、所定の情報を表示する。
【００８２】
これらの構成により、認証装置４０は、読取装置３０から送られた認証要求を認証要求受付部４２にて受け付ける。次いで、認証処理部４３において、受け付けた認証要求から識別情報及び受取人情報を抽出し、ユーザ情報記憶部４１を参照して抽出したユーザ識別情報に対応する携帯電話１０を所持する受取人を特定すると共に、その受取人が物品コードに記載された受取人と一致するかどうかを照合することにより、受取人の認証を行う。そして、認証結果送信部４４は、その認証結果を読取装置３０に送信し、認証結果が受取人の正当性を示すものであった場合、受取通知送信部４５は、受取通知を受取携帯電話機５０に送信するように構成されている。
【００８３】
なお、上述の実施形態では、受取人端末を携帯電話機１０としたが、時計付二次元コードを生成可能であり、生成された二次元コードを出力表示することが可能であれば、ノート型のパーソナルコンピュータやＰＤＡその他の端末であっても良い。
【００８４】
また、上述の実施例では読取装置を携帯電話機としたが、二次元バーコードの読取り及びデコードが可能であり、認証装置及び依頼人端末とデータ通信可能であれば、ノート型のパーソナルコンピュータやＰＤＡその他の端末であっても良い。
【００８５】
次に、図６及び図７に示したシステムにより実行される方法の一例を、図９に基づき説明する。
尚、図９の例では、印章コード、物品コードとしてＱＲコードを用いるものとする。
【００８６】
まず、携帯電話１０が、計時部１１より現在時刻情報を、識別情報記憶部１２より識別情報を取得し（１）、取得した現在時刻情報及び識別情報に基づいて、ＱＲコードで表現された印章コードを生成する（２）。続いて携帯電話１０は、生成した印章コードを印章コード表示部に出力／表示する（３）。
【００８７】
次に、読取装置３０は、コード読取部３１により携帯電話１０の表示した印章コードを光学的に読取り（４）、情報抽出部３２により読取った印章コードに含まれていた識別情報と現在時刻情報を抽出する（５）。
【００８８】
次に、読取装置３０は、コード読取部３１により物品等の伝票に記された物品コードを光学的に読取り（６）、情報抽出部３２により読取った物品コードに含まれていた受取人情報及び物品識別情報及び受取通知アドレス情報を抽出する（７）。
【００８９】
次に、読取装置３０は、印章コード及び物品コードから抽出された情報に基づいて、認証要求送信部２５により認証装置に対し認証要求を送信する（８）。
【００９０】
次に、認証装置４０は、認証要求受付部４２により読取装置３０から送信された認証要求を受け付ける（９）。認証装置は、認証処理部４３によって、受け付けた認証要求に含まれる識別情報に対応する受取人情報を、ユーザ情報記憶部４１を参照して特定し、特定された受取人が物品コードに記載されていた受取人情報と一致するか否かにより受取人の認証を行う（１０）。
【００９１】
次に、認証装置４０は、認証部４３による認証結果を、認証結果送信部４４によって読取装置３０に送信する（１１）。
読取装置３０は、認証結果受信部３４により認証装置より送信された認証結果を受信し、認証結果表示部３５により認証結果を表示する（１２）。
【００９２】
認証結果が受取人の正当性を示すものであった場合は、受取通知送信部４４により、受取証明が依頼者端末である携帯電話機５０に送信される（１３）。携帯電話機５０は、読取装置３０から送信された受取通知を受信する（１４）。
【００９３】
この際、読取装置３０は、認証結果が受取人の不当性を示すものであった場合、その旨を通知するメッセージを携帯電話機５０に対して送信しても良い。
【００９４】
次に、読取装置３０側での処理方法の一例を、図１０に示す。
図１０に示すように、まず、コード取得部３１が物品コードを読み取り（Ｓ３１）、情報抽出部３２が物品コードをデコードして受取人情報、物品識別情報、受取通知アドレスを抽出する（Ｓ３２）。
【００９５】
次に、コード取得部が携帯電話機１０に表示された印章コードを読み取り（Ｓ３３）、情報抽出部３２が印章コードをデコードして時刻情報、ユーザ識別情報を抽出する（Ｓ３４）。
【００９６】
次に、認証要求送信部３３が、認証装置４０に対し、情報抽出部によって抽出された各情報を含めて受取人の認証要求を送信する（Ｓ３５）。
【００９７】
次に、認証結果受信部３４が、認証装置４０から送信された認証結果を受信したか否かを判別する（Ｓ３６）。判別結果を受信した場合（Ｙ）、認証結果表示部３５が認証結果を表示して（Ｓ３７）、処理を終了する。受信していない場合（Ｎ）、認証結果の受信確認を繰り返す。
【００９８】
次に、認証装置４０側での処理方法の一例を、図１１に示す。
図１１に示すように、まず、認証要求受付部４２が読取装置３０からの認証要求を受け付けたか否かを判別する（Ｓ４１）。
【００９９】
判別の結果、認証要求を受け付けた場合（Ｙ）は、認証要求受付部４３が、受け付けた認証要求に含まれる携帯電話機１０の識別情報及び物品の受取人情報、物品識別情報、受取通知アドレスを抽出する（Ｓ４２）。
一方、認証要求を受け付けていない場合（Ｎ）は、再度認証要求を受け付けたか否かの判別を繰り返す（Ｓ４１）。
【０１００】
次に、認証処理部４３が、ユーザ情報記憶部４１を参照して、認証要求受付部４２によって抽出された携帯電話機１０の識別情報に対応するユーザ情報と物品の受取人情報が対応しているかどうかを判別することにより、受取人の認証処理を行い（Ｓ４３）、認証結果送信部４４が認証結果を読取装置３０に送信する（Ｓ４４）。
【０１０１】
認証処理の結果、携帯電話機１０のユーザが正当な受取人であった場合（Ｙ）は、物品が正当な受取人によって受け取られたものとして、受取確認送信部が携帯電話機５０に対し受取通知を送信して（Ｓ４６）、処理を終了する。携帯電話機１０のユーザが正当な受取人でなかった場合はそのまま処理を終了する。
【０１０２】
上述の実施形態では、物品コードに受取人情報を組み込む例について説明したが、これに加えて又はかえて、例えば、物品コードには、受取人の氏名、住所、電話番号等の受取人情報が認証装置４０において携帯電話機１０の識別情報と関連付けて記憶してもよい。これにより受取人情報を物品コードが記載されているだけで受取人の認証処理を行うことができる。したがって、物品発送の依頼者又は受取人の所有する携帯電話機１０の識別番号をわざわざ調べなくても、氏名、住所、電話番号といった一般的な情報さえ知っていれば物品発送を所定の業者に依頼することができる。
また、物品が正しい受取人によって受け取られた場合、認証装置４０から依頼者の所持する携帯電話機５０に対し直ちに受取通知が送信されるため、発送の依頼者は発送した物品が受け取られたことを、受け取り完了後すばやく確実に知ることができる。
【０１０３】
また、上述の認証システムにおいて、物品に付された物品コードは、少なくとも物品の購入金額を含む決済情報を更に記憶し、携帯電話機１０には、購入金額の決済処理を行うための決済手段情報（例えば、電話料金に含めて決済する場合は電話番号等、クレジットカードを使って決済する場合には、クレジットカードのカード番号等）を記憶し、認証装置４０は、上記決済手段情報を上記物品コードと共に取得し、認証の結果が適正な場合に、認証装置４０は上記取得した決済手段情報に従って上記決済情報に基づいた決済処理を行う手段をさらに備えるようにしても良い。
【０１０４】
次に、本発明の第３の実施形態として、配送される物品等に、少なくとも物品等の識別情報と、依頼人の連絡先情報とを含む物品コードが予め付されることを前提としたシステムであって、後述の受取人端末と電話回線、インターネット等を通じて通信可能な依頼人端末と、物品コードを読み取ることができ、また読み取った物品コードに含まれる情報に基づいて依頼人端末に対し受取通知を生成し送信することが可能な受取人端末とから構成される認証システムの一例について、図面を参照して説明する。
図１２は、本実施形態に係る認証システムの一例を示す概略図である。また、図１３は、本実施形態に係る認証システムに用いる受取人端末装置と業者端末装置の機能ブロック図である。
【０１０５】
本実施形態における認証システムは、受取人端末としての物品コードを読取可能な携帯電話機６０と、携帯電話機６０と、電話回線、インターネット等を通じて通信可能な携帯電話機５０とにより構成されている。また、本実施形態においては、物品コードには２次元コードを用いるものとし、また、携帯電話機６０から携帯電話機５０への受取通知の送信は、Ｅ−ｍａｉｌによって行うものとする。
【０１０６】
携帯電話機６０は、物品等の受取人が携帯する受取人端末である。この携帯電話機６０は、ＣＰＵ（Central Processing Unit）と、ＣＰＵが実行するコンピュータプログラムと、コンピュータプログラムや所定のデータを記憶することが出来るＲＡＭ（Random Access Memory）等の内部記憶装置などにより、図１３に示す機能ブロックを構成することが出来る。
図１３に示した機能ブロックは、計時部６１と、識別情報記憶部６２と、コード取得部６３と、情報抽出部６４と、受取通知生成部６５と、受取通知送信部６６とから構成されている。
【０１０７】
計時部６１は、上記第１の実施形態における計時部１１と同様である。
【０１０８】
識別情報記憶部６２は、受取人を識別可能な識別情報が記憶されている。ここで言う識別情報とは、依頼人が受取人を識別することが可能な情報（例えば、受取人の氏名、電話番号、メールアドレス等）である。この識別情報には、携帯電話機６０から携帯電話機５０にメールを送る際に自動的に送信される送信元メールアドレス情報を用いても良い。
【０１０９】
コード取得部６３は、例えば、画像を撮像する撮像手段であるＣＣＤカメラ等によって構成され、２次元コードとして表示された物品コードを取得する。
【０１１０】
情報抽出部６４は、コード取得部６３によって取得された２次元コードをデコードし、２次元コードに含まれている、物品等の識別情報や依頼人の宛先を抽出する。
ここで、物品等の識別情報とは、受け取られた物品等を依頼人が識別可能な情報であり、例えば物品等の配送依頼時に定められた物品のＩＤナンバー、物品等の呼称等である。また、ここで言う依頼人の宛先とは、受取人端末である携帯電話機６０から依頼人端末である携帯電話機５０に対して受取通知がなされる際に使用されるメールアドレスである。
【０１１１】
受取通知生成部６５は、情報抽出部６３によって抽出された情報、及び計時部６１によって計時された時刻情報、及び識別情報記憶部６２に記憶されている受取人の識別情報に基づいて、携帯電話機６０から携帯電話機５０に対し受取通知として送信される受取通知情報を生成する。ここで生成される情報は、少なくとも計時部６１によって計時された時刻情報、受取人の識別情報、物品等の識別情報を含む情報である。
【０１１２】
受取通知送信部６６は、受取通知生成部６５により生成された受取通知情報を、情報抽出部によって抽出された依頼人のメールアドレスに対し送信する。
【０１１３】
携帯電話機５０は、物品等の配送の依頼人が使用する携帯電話機であって、ＣＰＵ、ＲＡＭ等の記憶手段、コンピュータプログラム等により、受取通知受信部５１、受取通知表示部５２の機能ブロックを構成することができる。
【０１１４】
受取通知受信部５１は、携帯電話機６０より送信された受取通知を受信する。
【０１１５】
受取通知表示部５２は、受取通知受信部が受信した受取通知を表示する。受取通知表示部はＥ−ｍａｉｌの内容を表示可能な手段であり、例えば、携帯電話機５０に付属の液晶ディスプレイ等である。
【０１１６】
次に、上述のシステムにより実行される方法の一例を説明する。
まず、システム全体の処理の流れについて図１４を参照して説明する。
図１４において、携帯電話機６０が、コード取得部６３により、物品に付されている物品コードを読み取り（１）、情報抽出部６４が、読み取られた物品コードから、物品の識別情報と依頼人のメールアドレスを抽出する（２）。
【０１１７】
次に、受取通知生成部６５は、抽出された物品の識別情報と、識別情報記憶部６２が記憶している受取人の識別情報と、計時部６１によって計時された時刻情報を含む受取通知メールを生成し（３）、情報抽出部６４が抽出した依頼人のメールアドレスを宛先として送信する（４）。
【０１１８】
携帯電話機５０の受信部５１は、携帯電話機６０から送信された受取通知メールを受信し（５）、表示部５２は、携帯電話機５０の使用者の操作に応じて、受信した受取通知メールを表示する（６）。
【０１１９】
本実施形態における認証システムによれば、受取人端末において、物品等に付された物品コードを読み取ることにより、依頼人の宛先や物品の識別情報を簡単に取得することが可能であり、依頼人の宛先や受け取った物品の識別情報を手入力することなく、簡単に受取通知の送信を行うことができる。また、依頼人への受取通知をＥ−ｍａｉｌを用いて送信することにより、Ｅ−ｍａｉｌのヘッダ部分に自動的に添付される差出人メールアドレスによって受取人を識別することが可能となり、これにより受取人の識別も簡単かつ確実に行うことができる。
【０１２０】
尚、上述の実施形態における携帯端末及び認証装置を機能させるためのコンピュータプログラムは、ＣＤ−ＲＯＭ等によって、あるいはインターネットを通じてダウンロードすることにより、独立して配布することも可能である。
【０１２１】
次に、本発明の第４の実施形態として、印章コード情報を無線により取得する場合の例について、図面を参照して説明する。図１５は、本発明の実施の形態に係る認証システムの一例を示す概略図である。また、図１６は、本実施の形態に係る認証システムの一例に用いる受取人端末と情報読取装置と認証装置と依頼人端末をそれぞれ概略的に示すブロック図である。
【０１２２】
本実施の形態では、印章コードの無線通信手段として、応答機と要求機との間で電磁誘導による無線通信を行う非接触式のデータキャリアシステムとして知られているＩＣタグを用いる。
このデータキャリアシステムは、要求機が応答機に記憶されている識別情報等の各種データを読み出すものである。
そして、図１７は、上記受取人端末で用いるＩＣタグを概略的に示すブロック図であり、図１６は、上記読取装置で用いるＩＣタグ検知装置を概略的に示すブロック図である。
【０１２３】
本実施形態は、ＩＣタグ７０が具備された受取人端末としての携帯電話機（以下、「ＩＣタグ付置携帯電話機」という。）１１０と、ＩＣタグ検知装置８０が具備された読取装置（以下、「ＩＣタグ検知装置付読取装置」と言う。）１３０と、認証装置４０と、依頼人端末としての携帯電話機５０とにより実現される。
この場合、ＩＣタグ検知装置付読取装置１３０と認証装置４０とは、インターネット等の所定のネットワークを介して通信可能に構成されている。なお、本実施の形態の説明では、前述した実施の形態の共通する部分は同じ符号を付し、その説明は省略する。
【０１２４】
ＩＣタグ付携帯電話機１１０は、配送された物品を受け取る受取人が保持する携帯端末であって、ＣＰＵ（Central Processing Unit）と、ＣＰＵが実行するコンピュータプログラムと、コンピュータプログラムや所定のデータを記憶することが出きるＲＡＭ、ＲＯＭなどの内部メモリなどにより図１６に示す機能ブロックを構成することができる。
【０１２５】
図１６に示した機能ブロックは、計時部１１１と、ＩＣタグ７０から構成されている。
計時部１１１は、時間を計時するクロック手段である。
この計時部１１１は、前述の第１の実施形態における計時部１１と同様に、標準電波送信所より送信される標準電波を受信して計時情報（例えば、年、月、日、時、分、秒）を修正する所謂電波時計となっている。
【０１２６】
ＩＣタグ７０は、図１７に示すように、印章コード出力手段としてのコイル７１と、タグ側制御部７２等を備える。
コイル７１は、後述するＩＣタグ読取装置８０のコイル８１と電磁誘導による無線通信を行うためのものである。すなわち、ＩＣタグ７０にはアンテナパターンが形成されており、ＩＣチップに内蔵された容量素子とにより共振回路を形成し、ＩＣタグ読取装置８０から一定周波数の電波を受信して、ＩＣタグ７０内に記憶されているデータをＩＣタグ読取装置８０へ送信する。
【０１２７】
タグ側制御部７２は、ＩＣタグ付携帯電話機１１０の電源によって起動され、ＩＣタグ検知装置付読取装置１３０との無線通信を制御する。詳しくは、タグ側制御部７２は、識別情報記憶部７２１と、印章コード生成プログラム記憶部７２２と、印章コード配信プログラム７２３と、印章コード生成部７２４とを有し、印章コード生成プログラム７２２に従って、識別情報と時間情報を含む印章コードのＩＣチップへの登録・更新・削除といったＩＣチップ管理処理を行ったり、あるいは印章コード配信プログラムに従って、当該印章コード生成部７２４で生成されＩＣチップに登録された印章コードを、コイル７１を介してＩＣタグ検知装置付読取装置１３０へ送信したりする。
【０１２８】
なお、本実施形態では、タグ側制御部７２はＩＣタグ付携帯電話機１１０の電源を用いるものとしたが、コイル７１において生じた電磁誘導による電流を整流し、所定の電圧をタグ側制御部７２へ供給する電源回路を設けるようにしてもよい。
これにより、タグ側制御部７２は電源回路から供給される電圧によって起動することができる。
【０１２９】
識別情報記憶部７２１は、個々のＩＣタグ付携帯電話機１１０を特定するための識別情報を記憶できる記憶部である。この識別情報は、個々のＩＣタグ付携帯電話機１１０に固有の情報であって、例えば、ＩＣタグ付携帯電話機１１０の出荷時に予めＲＯＭ等の内部メモリに記憶させて設定しておくことができる。
【０１３０】
印章コード生成プログラム記憶部７２２は、後述する印章コード生成部７２４で印章コードを生成する処理を行うプログラムを記憶する記憶部である。
印章コード配信プログラム７２３は、印章コード生成部７２４で生成されＩＣチップに登録された印章コードを上述したコイル７１からＩＣタグ検知装置付読取装置１３０へ送信する処理を行うプログラムを記憶する記憶部である。
【０１３１】
印章コード生成部７２４は、少なくともＩＣタグ付携帯電話機１１０の識別情報（ＩＤなど）と計時部１１１の現在時刻情報を含んだ印章コードを生成する処理を行う。ＩＣタグ付携帯電話機１１０の識別情報は、ＩＣタグ付携帯電話機１１０を個々に特定するために付与された固有の文字、数字などからなる情報である。したがって、ＩＣタグ付携帯電話機１１０では、計時部１１１が出力する現在時刻及び識別情報を含んだ内容の印章コードを生成することができる。これにより、生成される印章コードは、現在時刻をキーとして所定時間毎に毎回異なって生成されることとなる。
なお、印章コードに含まれるデータとしては、これに限らず、ログ情報記憶処理部を作成し、内部メモリに記憶しておいたログデータを含めて生成してもよい。
【０１３２】
このような構成により、ＩＣタグ付携帯電話機１１０は、印章コード生成プログラム記憶部７２２に従ってＩＣタグ７０の印章コード生成部７２４が所定の時間毎に計時部１１１を参照し、識別情報記憶部７２１に記憶されている識別情報を含んだ印章コードを生成する。そして、印章コード配信プログラム７２３に従って最新の印章コードを、コイル７１を介してＩＣタグ検知装置付読取装置１３０へ送信する。
【０１３３】
次に、ＩＣタグ検知装置８０を組み込んだＩＣタグ検知装置付読取装置１３０の機能構成について説明する。この装置は、物品等を受取人に配送する配送人が所持し、操作するものであって、ＣＰＵ、コンピュータプログラム、ＲＡＭ・ＲＯＭ等により、コード取得部１３１と、情報抽出部１３２と、認証要求送信部１３３と、認証結果受信部１３４と、認証結果通知部１３５と、ＩＣタグ読取部８０の機能ブロックを構成することができる。なお、ＩＣタグ検知装置付読取装置１３０は、物品等の受取人が当該物品等を取りに来る店舗等に設置したものとしても良い。
【０１３４】
ＣＰＵは、操作部を介して入力される指示等に応じて所定のプログラムに基づいた処理を実行し、各機能部への指示やデータの転送等を行う。具体的には、たとえば、ＣＰＵは、操作部を介して入力される操作信号に応じて、ＲＯＭ内に格納された各種プログラムを読み出してＲＡＭに展開し、当該プログラムに基づく処理を実行し、処理結果を表示するための表示信号を表示部に出力して当該表示信号を表示させる。
【０１３５】
コード取得部１３１、情報抽出部１３２、認証要求送信部１３３、認証結果受信部１３４、認証結果通知部１３５は、何れも上記第２の実施形態における、コード取得部３１、情報抽出部３２、認証要求送信部３３、認証結果受信部３４、認証結果通知部３５と同様の構成をしている。
【０１３６】
ＩＣタグ読取部８０は、印章コード取得手段としてのコイル８１と、ＩＣタグ検知装置側制御部８２等を備え、ＩＣタグ７０との間でコイル８１を介して無線通信を行う。具体的には、ＩＣタグ読取装置側制御部８２は、印章コード記憶部８２１と、ＩＣタグ検知プログラム記憶部８２２とを有し、コイル８１に流す電流および電圧を制御して変化させて、ＩＣタグ７０との無線通信を実行し、ＩＣタグ７０から印章コードを受信する。
【０１３７】
印章コード記憶部８２１は、コイル８１を介して受信した印章コードを記憶する記憶部である。この印章コード記憶部８２１に記憶された印章コードは、上述する操作部での指示により表示部に出力させることができる。
そして、ＩＣタグ読取プログラム記憶部８２２は、コイル８１を介して受信した印章コードを上述した印章コード記憶部８２１へ記憶する処理を行うプログラムを記憶する記憶部である。
【０１３８】
次に、図１５乃至図１８に示したシステムにより実行される方法の一例を、図１９に基づき説明する。図１９は、本発明の実施の形態に係る認証システムにおいて、物品の受取人が保持する携帯端末であるＩＣタグ付携帯電話機１１０で生成する印章コードを、物品等を受取人に配送する配送人が所持し、操作するＩＣタグ検知装置付読取装置１３０で読み取る場合の処理の流れを示すシーケンス図である。
【０１３９】
まず、物品の受取人が保持するＩＣタグ付携帯電話機１１０は、計時部１１１より現在時刻情報を、識別情報記憶部７２１より識別情報を取得し（１０１）する。
次いで、ＩＣタグ付携帯電話機１１０では、取得した現在時刻情報及び識別情報に基づいて、ＱＲコードで表現された印章コードを生成する（１０２）。
【０１４０】
そして、物品等の配送人が受取人のところへ出向き、自らが所有するＩＣタグ検知装置付読取装置１３０を、当該受取人が保持するＩＣタグ付携帯電話機１１０へかざす様に近づけると、ＩＣタグ検知装置付読取装置１３０より無線にて印章コード読取要求がＩＣタグ付携帯電話機１１０へ送信される（１０３）。
【０１４１】
ＩＣタグ付携帯電話機１１０では、ＩＣタグ検知装置付読取装置１３０からの印章コード読取要求を受け、印章コード生成部７２４で生成された最新の印章コードを出力し応答する（１０４）。
これに対し、ＩＣタグ検知装置付読取装置１３０では、ＩＣタグ付携帯電話機１１０からの応答を受付け、印章コードを取得する（１０５）。
【０１４２】
次いで、ＩＣタグ検知装置付読取装置１３０は、情報抽出部１３２により読取った印章コードに含まれていた識別情報と現在時刻情報を抽出する（１０６）。
【０１４３】
次に、ＩＣタグ検知装置付読取装置１３０は、コード取得部１３１により物品等の伝票に記された物品コードを光学的に読み取る（１０７）。
引き続き、ＩＣタグ検知装置付読取装置１３０は、情報抽出部１３２により読み取った物品コードに含まれていた受取人情報及び物品識別情報及び受取通知アドレス情報を抽出する（１０８）。
【０１４４】
そして、ＩＣタグ検知装置付読取装置１３０は、印章コード及び物品コードから抽出された情報に基づいて、認証要求送信部１２５により認証装置４０に対し認証要求を送信する（１０９）。
【０１４５】
次に、認証装置４０は、ＩＣタグ検知装置付読取装置１３０から送信された認証要求を認証要求受付部４２にて受け付ける（１１０）。
認証装置４０は、認証処理部４３によって、受け付けた認証要求に含まれる識別情報に対応する受取人情報を、ユーザ情報記憶部４１を参照して特定し、特定された受取人が物品コードに記載されていた受取人情報と一致するか否かにより受取人の認証を行う（１１１）。
【０１４６】
次に、認証装置４０は、認証処理部４３による認証結果を、認証結果送信部４４によってＩＣタグ検知装置付読取装置１３０に送信する（１１２）。
ＩＣタグ検知装置付読取装置１３０は、認証装置４０から送信された認証結果を認証結果受信部１３４にて受信し、認証結果表示部１３５により認証結果を表示する（１１３）。
【０１４７】
また、認証装置４０では、認証結果が受取人の正当性を示すものであった場合は、受取通知送信部４４により、受取通知が依頼者端末である携帯電話機５０に送信される（１１４）。
そして、携帯電話機５０は、認証装置４０から送信された受取通知を受信する（１１５）。
【０１４８】
次に、上述の認証システムにおけるＩＣタグ付携帯電話機１１０の詳細な動作の一例を、図２０を参照して説明する。
まず、物品の受取人端末であるＩＣタグ付携帯電話機１１０側での動作は、図２０に示すように、ＩＣタグ付携帯電話機１１０の使用者が、ＩＣタグ付携帯電話機１１０に対して、印章コードを表示させるための所定の操作を行う。この操作は、ＩＣタグ付携帯電話機１１０の予め決められたボタン操作を行うようにする。
そうすると、計時部１１１により時刻を計時する処理を行うと共に、識別情報記憶部７２１より識別情報を取得する処理を行う（Ｓ１０１）。
【０１４９】
次いで、印章コード生成部７２４では、印章コード生成プログラム記憶部７２２に記憶されているプログラムに従い、所定時間毎に計時部１１１が出力する現在時刻を参照し、これに識別情報記憶部７２１に記憶されている受取人端末の識別情報を含んだ内容の印章コードを生成し、更新する（Ｓ１０２）。
次いで、印章コード生成部７２４では、印章コード配信プログラム記憶部７２３に記憶されているプログラムに従い、ＩＣタグ検知装置付読取装置１３０から印章コード読取要求があったか否か判別する（Ｓ１０３）。
【０１５０】
判別の結果、印章コード読取要求があった場合（Ｙ）は、印章コード生成部７２４で生成、更新した最新の印章コードを、コイル７１を介して無線でＩＣタグ検知装置付読取装置１３０へ出力送信することにより応答する（Ｓ１０４）。
一方、判別の結果、印章コード読取要求がなかった場合（Ｎ）は、再度計時部１１１により時刻を計時する処理を行うと共に、識別情報記憶部７２１より識別情報を取得する処理を繰り返す（Ｓ１０１）。
これにより、ＩＣタグ付携帯電話機１１０での一連の印章コードの生成処理が終了（エンド）する。
【０１５１】
次に、印章コード取得装置側の処理方法の一例を図２１に示す。
図２１において、まず、ＩＣタグ検知装置付読取装置１３０より印章コード読取指示があったか否か判別する（Ｓ１１１）。
判別の結果、印章コード読取指示があった場合（Ｙ）は、ＩＣタグ読取プログラム記憶部８２２に記憶されたプログラムに従い、ＩＣタグ検知装置付読取装置１３０をかざしたＩＣタグ付携帯電話機１１０に対して印章コード読取要求を送信する（Ｓ１１２）。
一方、判別の結果、印章コード読取指示が無かった場合（Ｎ）は、次に、ＩＣタグ読取部８０が、かざしたＩＣタグ付携帯電話機１１０よりコイル８１を介して印章コード応答を受付けたか否か判別する（Ｓ１１３）。
【０１５２】
判別の結果、印章コード応答を受付けた場合（Ｙ）は、印章コードを取得し、印章コード記憶部８２１に記憶する（Ｓ１１４）。
印章コードを取得すると、次に、取得した印章コードに含まれているユーザ識別情報、及び時刻情報を抽出する（Ｓ１１５）。
一方、判別の結果、印章コード応答を受付け無かった場合（Ｎ）は、次に、物品等に付された（例えば、伝票に記された）物品コードをコード取得部１３１により受付けたか否か判別する（Ｓ１１６）。
【０１５３】
判別の結果、物品コードを受付けた場合（Ｙ）は、情報抽出部１３２が、読み取られた物品コードをデコードし、物品コードに含まれている受取情報を抽出し、これを一時的にメモリに記憶する（Ｓ１１７）。
受取情報を抽出すると、次に、認証要求送信部１３３が、認証装置４０に対し、情報抽出部１３２によって抽出した各情報を含めて受取人の認証要求を送信する（Ｓ１１８）。
一方、判別の結果、物品コードを受付け無かった場合（Ｎ）は、次に、認証結果受信部１３４が、認証装置４０から送信された認証結果を受信したか否かを判別する（Ｓ１１９）。
【０１５４】
判別の結果、判別結果を受信した場合（Ｙ）は、認証結果を表示部に表示する（Ｓ１２０）。
これにより、認証装置２０における、受取人認証処理を終了（エンド）する。
一方、判別結果を受信していない場合（Ｎ）は、そのまま処理を終了（エンド）する。
【０１５５】
このように、上述の実施形態によれば、ＩＣタグにより印象コードを読み取ることができるため、ＣＣＤカメラ等により光学的に読み取る場合より、速く正確に処理することができる。
【図面の簡単な説明】
【０１５６】
【図１】本発明の第１の実施形態に係る認証システムの例を全体的に示す概略図である。
【図２】本発明の第１の実施形態に係る端末装置の構造を概略的に説明するブロック図である。
【図３】本発明の第１の実施形態に係る認証システムにおける処理の流れを説明するシーケンス図である。
【図４】本発明の第１の実施形態に係る認証システムにおける受取人端末での手順を示すフローチャートである。
【図５】本発明の第１の実施形態に係る認証システムにおける認証装置での手順を示すフローチャートである。
【図６】本発明の第２の実施形態に係る認証システムの例を全体的に示す概略図である。
【図７】本発明の第２の実施形態に係る端末装置の構造を概略的に説明するブロック図である。
【図８】本発明の第２の実施形態に係る、認証装置の有するユーザ情報記憶手段の構造を示す一例である。
【図９】本発明の第２の実施形態における処理の流れを説明するシーケンス図である。
【図１０】本発明の第２の実施形態に係る認証システムにおける読取装置での手順を示すフローチャートである。
【図１１】本発明の第２の実施形態に係る認証システムにおける認証装置での手順を示すフローチャートである。
【図１２】本発明の第３の実施形態に係る認証システムの例を全体的に示す概略図である。
【図１３】本発明の第３の実施形態に係る端末装置の構造を概略的に説明するブロック図である。
【図１４】本発明の第３の実施形態における処理の流れを説明するシーケンス図である。
【図１５】本発明の第４の実施形態に係る認証システムの例を全体的に示す概略図である。
【図１６】本発明の第４の実施形態に係る端末装置の構造を概略的に説明するブロック図である。
【図１７】本発明の第４の実施形態で用いるＩＣタグを概略的に示すブロック図である。
【図１８】本発明の第４の実施形態で用いるＩＣタグ読取装置を概略的に示すブロック図である。
【図１９】本発明の第４の実施形態における処理の流れを説明するシーケンス図である。
【図２０】本発明の第４の実施形態に係る認証システムにおける受取人端末での手順を示すフローチャートである。
【図２１】本発明の第４の実施形態に係る認証システムにおける読取装置での手順を示すフローチャートである。
【符号の説明】
【０１５７】
１０，６０・・・携帯電話機（受取人端末）、２０，４０・・・認証装置、３０・・・読取装置、５０・・・携帯電話機（依頼人端末）、７０・・・ＩＣタグ、８０・・・ＩＣタグ読取装置、１１０・・・ＩＣタグ付携帯電話機（受取人端末）、１２０・・・ＩＣタグ読取装置付読取装置。
【図１】
2006092507.tif 000003
【図２】
2006092507.tif 000004
【図３】
2006092507.tif 000005
【図４】
2006092507.tif 000006
【図５】
2006092507.tif 000007
【図６】
2006092507.tif 000008
【図７】
2006092507.tif 000009
【図８】
2006092507.tif 000010
【図９】
2006092507.tif 000011
【図１０】
2006092507.tif 000012
【図１１】
2006092507.tif 000013
【図１２】
2006092507.tif 000014
【図１３】
2006092507.tif 000015
【図１４】
2006092507.tif 000016
【図１５】
2006092507.tif 000017
【図１６】
2006092507.tif 000018
【図１７】
2006092507.tif 000019
【図１８】
2006092507.tif 000020
【図１９】
2006092507.tif 000021
【図２０】
2006092507.tif 000022
【図２１】
2006092507.tif 000023